(57)【要約】【課題】投入される紙葉類の方向によらず効率良く検査を行うことができる、紙葉類検査装置及び検査方法を提供する。【解決手段】供給された紙葉類を１枚ずつ機内に供給する供給部１１と、供給される紙葉類の供給方向とを検出する検出器２３と、紙葉類の片面に対峙するように配されて紙葉類の片面の真偽特徴を検出する真偽検出器２３と、紙葉類を集積する複数の集積部１５、１７、１９と、これらを結ぶ搬送路と、検査対象の紙葉類の券種を指定すると共に、紙葉類の検査結果に対応してどの集積部に搬送するかの運用を指定する操作部２７とを有する紙葉類検査装置であって、指定された券種が片面のみに真偽特徴を有する場合であって、紙葉類の真偽判定が不能となるような運用が指定されたときは、所定の認証を要求し、認証が得られたときに当該運用の指定を有効とする認証部６１を備えた紙葉類検査装置である。【選択図】      図８
2008243094.tif 000002
【特許請求の範囲】
【請求項１】
供給された紙葉類を１枚ずつ機内に供給する供給部と、供給される紙葉類の供給方向を検出する検出器と、前記紙葉類の片面に対峙するように配されて前記紙葉類の片面の真偽特徴を検出する真偽検出器と、紙葉類を集積する複数の集積部と、これらを結ぶ搬送路と、検査対象の紙葉類の券種を指定すると共に、前記紙葉類の検査結果に対応してどの集積部に搬送するかの運用を指定する操作部とを有する紙葉類検査装置であって、
前記指定された券種が片面のみに真偽特徴を有する場合であって、前記紙葉類の真偽判定が不能となるような前記運用が指定されたときは、所定の認証を要求し、前記認証が得られたときに当該運用の指定を有効とする認証部
を備えたことを特徴とする紙葉類検査装置。
【請求項２】
前記紙葉類検査装置の動作を統括して制御する制御部を更に有し、
前記制御部は、真偽判定不能となる紙葉類については検査結果の計数からは除外するとともに、当該紙葉類が表裏を変更して再供給されたときは、真偽判定を実行して検査結果の計数を確定するようになされたこと
を特徴とする請求項１に記載の紙葉類検査装置。
【請求項３】
供給された紙葉類を１枚ずつ機内に供給する供給部と、供給される紙葉類の供給方向を検出する検出器と、前記紙葉類の片面に対峙するように配されて前記紙葉類の片面の真偽特徴を検出する真偽検出器と、紙葉類を集積する複数の集積部と、紙葉類を裁断する裁断部と、これらを結ぶ搬送路と、検査対象の紙葉類の券種を指定すると共に、前記紙葉類の検査結果に対応して搬送する集積部あるいは裁断部を指定する操作部とを有する紙葉類検査装置であって、
前記指定された券種が片面のみに真偽特徴を有する場合であって、前記紙葉類が真偽判定を不能とするような態様で搬送されたときは、当該紙葉類は前記操作部の指定によらず特定の集積部に搬送する排除処理部
を備えたことを特徴とする紙葉類検査装置。
【請求項４】
供給された紙葉類を１枚ずつ機内に供給する供給部と、供給される紙葉類の供給方向を検出する検出器と、前記紙葉類の片面に対峙するように配されて前記紙葉類の片面の真偽特徴を検出する真偽検出器と、紙葉類を集積する複数の集積部と、これらを結ぶ搬送路と、検査対象の紙葉類の券種を指定すると共に、前記紙葉類の検査結果に対応してどの集積部に搬送するかの運用を指定する操作部とを有する紙葉類検査装置の検査方法であって、
前記指定された券種が片面のみに真偽特徴を有する場合であって、前記紙葉類の真偽判定が不能となるような前記運用が指定されたときは、所定の認証を要求し、前記認証が得られたときに当該運用の指定を有効とすること
を特徴とする紙葉類検査方法。
【請求項５】
真偽判定不能となる紙葉類については検査結果の計数からは除外するとともに、当該紙葉類が表裏を変更して再供給されたときは、真偽判定を実行して検査結果の計数を確定すること
を特徴とする請求項４に記載の紙葉類検査方法。
【請求項６】
供給された紙葉類を１枚ずつ機内に供給する供給部と、供給される紙葉類の供給方向を検出する検出器と、前記紙葉類の片面に対峙するように配されて前記紙葉類の片面の真偽特徴を検出する真偽検出器と、紙葉類を集積する複数の集積部と、紙葉類を裁断する裁断部と、これらを結ぶ搬送路と、検査対象の紙葉類の券種を指定すると共に、前記紙葉類の検査結果に対応して搬送する集積部あるいは裁断部を指定する操作部とを有する紙葉類検査装置の検査方法であって、
前記指定された券種が片面のみに真偽特徴を有する場合であって、前記紙葉類が真偽判定を不能とするような態様で搬送されたときは、当該紙葉類を前記操作部の指定によらず特定の集積部に搬送すること
を特徴とする紙葉類検査方法。
【発明の詳細な説明】
【技術分野】
【０００１】
本発明は、投入される方向によらず、紙葉類を効率良く検査することができる、紙葉類検査装置及び検査方法に関する。
【背景技術】
【０００２】
紙葉類検査装置は、紙葉類の種類、方向、汚れ、真偽などを検査し、検査結果に基づき複数の集積装置にそれぞれの紙葉類を搬送して、分類、施封、裁断等を行う。一方、紙葉類の内、有価証券等には偽造されるのを防ぐ為、さまざまな特徴が設けられている。そこで上述の紙葉類検査装置は、これらの特徴に基づいて真偽を判断している。（例えば、特許文献１参照）。
【特許文献１】特開２００３−１０９０６８号公報
【発明の開示】
【発明が解決しようとする課題】
【０００３】
ところで、紙葉類には、片方の面にのみ真偽を判断するための特徴を備えたものが有るが、紙葉類検査装置に投入される紙葉類の方向は定まっていないため、表裏、前後を組合わせた４つの方向で投入される可能性がある。  
しかし、紙葉類検査装置の真偽検出器は、搬送される紙葉類の一方の面（表面側、あるいは裏面側）にのみ配置されているものがほとんどであり、投入される紙葉類の方向によっては検出器による真偽の検出が不可能な場合があった。
【０００４】
本発明はこのような事情に鑑みてなされたものであって、投入される紙葉類の方向によらず効率良く検査を行うことができる、紙葉類検査装置及び検査方法を提供することを目的とする。
【課題を解決するための手段】
【０００５】
上記課題を解決するための本発明に係る紙葉類検査装置は、供給された紙葉類を１枚ずつ機内に供給する供給部と、供給される紙葉類の供給方向を検出する検出器と、前記紙葉類の片面に対峙するように配されて前記紙葉類の片面の真偽特徴を検出する真偽検出器と、紙葉類を集積する複数の集積部と、これらを結ぶ搬送路と、検査対象の紙葉類の券種を指定すると共に、前記紙葉類の検査結果に対応してどの集積部に搬送するかの運用を指定する操作部とを有する紙葉類検査装置であって、前記指定された券種が片面のみに真偽特徴を有する場合であって、前記紙葉類の真偽判定が不能となるような前記運用が指定されたときは、所定の認証を要求し、前記認証が得られたときに当該運用の指定を有効とする認証部を備えた。
【０００６】
また本発明に係る紙葉類検査装置は、供給された紙葉類を１枚ずつ機内に供給する供給部と、供給される紙葉類の供給方向を検出する検出器と、前記紙葉類の片面に対峙するように配されて前記紙葉類の片面の真偽特徴を検出する真偽検出器と、紙葉類を集積する複数の集積部と、紙葉類を裁断する裁断部と、これらを結ぶ搬送路と、検査対象の紙葉類の券種を指定すると共に、前記紙葉類の検査結果に対応して搬送する集積部あるいは裁断部を指定する操作部とを有する紙葉類検査装置であって、前記指定された券種が片面のみに真偽特徴を有する場合であって、前記紙葉類が真偽判定を不能とするような態様で搬送されたときは、当該紙葉類は前記操作部の指定によらず特定の集積部に搬送する排除処理部を備えた。
【０００７】
また本発明に係る紙葉類検査方法は、供給された紙葉類を１枚ずつ機内に供給する供給部と、供給される紙葉類の供給方向を検出する検出器と、前記紙葉類の片面に対峙するように配されて前記紙葉類の片面の真偽特徴を検出する真偽検出器と、紙葉類を集積する複数の集積部と、これらを結ぶ搬送路と、検査対象の紙葉類の券種を指定すると共に、前記紙葉類の検査結果に対応してどの集積部に搬送するかの運用を指定する操作部とを有する紙葉類検査装置の検査方法であって、前記指定された券種が片面のみに真偽特徴を有する場合であって、前記紙葉類の真偽判定が不能となるような前記運用が指定されたときは、所定の認証を要求し、前記認証が得られたときに当該運用の指定を有効とする。
【０００８】
また本発明に係る紙葉類検査方法は、供給された紙葉類を１枚ずつ機内に供給する供給部と、供給される紙葉類の供給方向とを検出する検出器と、前記紙葉類の片面に対峙するように配されて前記紙葉類の片面の真偽特徴を検出する真偽検出器と、紙葉類を集積する複数の集積部と、紙葉類を裁断する裁断部と、これらを結ぶ搬送路と、検査対象の紙葉類の券種を指定すると共に、前記紙葉類の検査結果に対応して搬送する集積部あるいは裁断部を指定する操作部とを有する紙葉類検査装置の検査方法であって、前記指定された券種が片面のみに真偽特徴を有する場合であって、前記紙葉類が真偽判定を不能とするような態様で搬送されたときは、当該紙葉類を前記操作部の指定によらず特定の集積部に搬送する。
【発明の効果】
【０００９】
本発明の紙葉類検査装置及び方法によれば、投入される紙葉類の方向によらず効率良く検査を行うことができる。
【発明を実施するための最良の形態】
【００１０】
〔第１の実施の形態〕  
以下、本発明を実施する場合の形態について図面を参照して説明する。なお、以下の説明では、紙葉類検査装置の例として、銀行券を検査する場合について説明する。
【００１１】
図１は、本発明の一実施形態である紙葉類検査装置１の全体的な構成を示す外観図である。紙葉類検査装置１は、銀行券供給部１０、第１集積施封装置１５、第２集積施封装置１７、排除券集積装置１９、表示部２５、操作部２７及び扉２９を備えている。
【００１２】
係員は、扉２９を開いて、外部から大量に持ち込まれた紙葉類である、例えば銀行券を銀行券供給部１０にセットする。そして検査の条件を操作部２７から入力した後に検査を開始させる。  
紙葉類検査装置１は、銀行券を検査して指定された条件に従って分類し所定の集積装置に搬送する。第１集積施封装置１５、第２集積施封装置１７は、搬送された銀行券を集積すると共に例えば１００枚単位に施封する。排除券集積装置１９は、搬送された排除対象の銀行券を集積する。
【００１３】
図２は、紙葉類検査装置１の操作部２７の外観図である。  
同図において、銀行券供給部１０には扉２９が設けられ、この扉２９は取手３０によって手動で開閉することができる。  
操作部２７には、数字などを入力するテンキー３３、紙葉類検査装置１の操作を指示する各種操作ボタン３４〜３８、および紙葉類の処理枚数を表示するカウンタ３９が設けられ、さらに図示しないキーボードやマウスなどの接続が可能とされている。
【００１４】
また、銀行券供給部１０、表示部２５、及び操作部２７は係員がアクセスしやすいように一箇所に集めて配置されている。係員はその場で排除券集積装置１９から排除券を取り出してその内容を確認することができる。さらに、排除券集積装置１９の上方には表示部２５が配置されており、その表示内容と排除券との照合確認などを効率良く行うことができる。
【００１５】
図３は、紙葉類検査装置１の内部構成を示す図である。  
紙葉類検査装置１の内部には、取出搬送装置１１、検査装置２３、搬送区分装置１３、第１集積施封ユニット１５ａ、１５ｂ、第２集積施封ユニット１７ａ、１７ｂ、及び裁断装置２１が設けられている。
【００１６】
取出搬送装置１１は、銀行券供給部１０から銀行券を１枚ずつ取出して、搬送区分装置１３に送り込む。搬送区分装置１３は、送り込まれた銀行券を検査装置２３へ供給する。検査装置２３は、搬送区分装置１３によって搬送されてくる銀行券に対して必要な検査を行う。また搬送区分装置１３は、検査装置２３の検査結果に基づいて銀行券を集積施封装置１５，１７、排除券集積装置１９または裁断装置２１の何れかに搬送する。
【００１７】
第１集積施封装置１５および第２集積施封装置１７はそれぞれ、搬送区分装置１３によって搬送されてきた銀行券を集積し、１００枚単位で帯により施封を行う装置である。第１集積施封装置１５は２つの集積施封ユニット１５ａ，１５ｂで構成され、これらは交互に集積と施封の動作を繰り返す。すなわち、一方の集積施封ユニットは１００枚の銀行券が集積されると施封動作に移り、その間搬送されてきた銀行券は他方の集積施封ユニットに銀行券が集積されるようになっている。第２集積施封装置１７についても同様に２つの集積施封ユニット１７ａ，１７ｂが設けられている。
【００１８】
排除券集積装置１９は、搬送区分装置１３によって搬送されてくる排除券（後で説明する）を集積する。裁断装置２１は、搬送区分装置１３によって搬送されてくる損券（後で説明する）を細片に裁断する。
【００１９】
次に、検査結果による銀行券の分類について説明する。  
検査装置２３によって、銀行券の券種（額面）、真偽、方向（表裏正逆）、正損等の判別が行われ、銀行券は「正券」、「損券」、「偽券」、「検査不能券」に分類・判別される。
【００２０】
「正券」とは、検査の結果正規でかつ有効な券、即ち、再利用可能であると判定された券である。「損券」とは、正規の券であるとは認められたが無効な券、即ち、汚損などにより再利用不可能であると判定された券である。「偽券」とは、正規のものと認められなかった券である。「検査不能券」とは、例えば重ね取り、スキュー（券の斜行）、ショートピッチ（搬送経路中において前の券との間隔が短すぎて後段の処理が困難となるもの）等の理由により検査が正しく行えなかった券である。「偽券」と「検査不能券」を併せて「排除券」と呼ぶ。
【００２１】
図４は、紙葉類検査装置１の制御系統をブロック化して示す図である。  
紙葉類検査装置１の制御系統は、メインコントローラ６１を中心として構成されている。メインコントローラ６１には、入出力装置としてデータ蓄積装置６０、帳票出力プリンタ６２、表示部２５、及びキーボード・マウス６３が接続されている。
【００２２】
また、メインコントローラ６１にはたとえばＵＳＢ（Universal Serial Bus)ハブ６４などのインターフェースを通じて、紙葉類検査装置１内の各部を制御するコントローラであるトランスポートコントローラ６５、バンダーコントローラ６６、検知コントローラ６７が接続されている。
【００２３】
トランスポートコントローラ６５は、メインコントローラ６１による管理のもと、銀行券供給部１０、取出搬送装置１１、搬送区分装置１３、第１集積施封装置１５、第２集積施封装置１７、排除券集積装置１９、裁断装置２１、ジャーナルプリンタ６８などを制御する。  
なお、ジャーナルプリンタ６８は、データを随時出力するためのプリンタであり、必要に応じて接続される。
【００２４】
バンダーコントローラ６６は、メインコントローラ６１による管理のもと、第１集積施封装置１５および第２集積施封装置１７内の集積施封ユニット１５ａ，１５ｂおよび集積施封ユニット１７ａ，１７ｂを制御する。  
検知コントローラ６７は、メインコントローラ６１による管理のもと、検査装置２３の制御および検査装置２３で得られた検知データの処理を行う。  
さらに、メインコントローラ６１はＬＡＮを通じて不図示のネットワークサーバ４１と接続される。
【００２５】
検査装置２３には、各種の検出機能を備えた装置が設けられ、検知コントローラ６７を介してメインコントローラ６１との間で情報の授受を行うことで所望の検査が実行される。以下、主な検査機能について説明する。
【００２６】
銀行券の券種を判定するため、検査装置２３には、光源とレンズ、ＣＣＤカメラ等からなり、搬送される紙葉類の両面の画像情報を収集する装置が設けられている。一方、データ蓄積装置６０には、この紙葉類検査装置１で取り扱う銀行券の画像情報の標準パターン（以下、辞書と呼ぶ）が格納されている。
【００２７】
この辞書には、銀行券の種類毎に４方向の画像が記憶されている。例えば、ユーロ券の場合では、５、１０、２０、５０、１００，２００，５００ユーロの７種に対して、それぞれ４つの方向の画像、即ち、２８種類の画像が記憶されている。図５は、４つの方向を示している。  
なお、本明細書では、「方向」とは、上述の４つの態様を示すものとする。
【００２８】
メインコントローラ６１は、搬送される銀行券の両面の画像情報と、この辞書のパターンを比較して、それぞれの標準パターン毎に類似度を算出する。そして、１番高い類似度と２番目に高い類似度との差が一定値以上ある場合、即ち、１番目のパターンとよく似ているが、２番目のパターンとあまり似ていないと判断した時、類似度の最も大きい券種・方向を、搬送された銀行券の券種・方向と判断する。
【００２９】
また、銀行券の真偽を確認するため、検査装置２３には、安全線検知器、発光インク検知器等の検出器が備えられている。
【００３０】
安全線検知方法は、銀行券に漉き込まれている安全線（Security Shred）を検出するもので、安全線を構成する物質の種類（繊維、金属、プラスチック、磁性材料等が存在）に応じた検出器を用いる。例として磁性材料の場合には、コイルを用いた検出器によって信号を検出し、その信号があるレベル以上の場合、真正な券として扱う。安全線は、銀行券に漉きこまれている為、一般的には銀行券の表裏どちらからでも検出が可能である。
【００３１】
発光インク検知方法は、インクに含まれる燐光成分の存在を確認するものである。特定波長の紫外線を銀行券に照射し、それにより励起された光を検出する。  
図６は、発光インク検知方法を説明する図である。紫外線を銀行券の一面に照射し、励起した光の内フィルタを透過した所定波長の光を受光装置が受光する。しかし、受光光量は大きくなく、一般的には、燐光成分が記録された面からの光しか検出できない。  
メインコントローラ６１は、検出信号があるレベル以上の場合、真正な券であると判断する。  
係員は操作部２７を操作しつつ表示部２５の画面上で、種々の運用形態を指定することができる。  
図７は、検査の形態を指定するための設定画面４０である。  
この設定画面４０には、設定入力欄４１と表示欄４２とが設けられている。  
設定入力欄４１には、調査入力欄４１ａ、裁断入力欄４１ｂ、額面入力欄４１ｃ、汚損レベル入力欄４１ｄ、分類モード入力４１欄ｅ、バッチサイズ入力欄４１ｆ、及び照合タイプ入力欄４１ｇが設けられている。また、表示欄４２には、額面表示欄４２ａ、及び照合タイプ表示欄４２ｂが設けられている。
【００３２】
額面入力欄４１ｃのラジオボタンを指定することで検査する銀行券の種類を設定することができる。設定した銀行券の種類は、額面表示欄４２ａに表示される。  
汚損レベル入力欄４１ｄには、正券と損券とを判別するレベルを設定する。「ノーマル」のラジオボタンを指定すると、正券と損券を判別するための基準レベルを設定することができる。基準レベルは１〜１６まで指定することができ、基準レベルの数値が高くなるほど、正券と判断する基準が厳しくなる。基準レベル１では、正券と判断される枚数が多くなり、基準レベル１６では、正券と判断される枚数が少なくなる。
【００３３】
分類モード入力欄ｅにあるノーマル１〜ノーマル３のいずれかを指定することで、検査後の銀行券の処理方法を選択することができる。なお、ノーマル１〜ノーマル３のそれぞれの処理内容は、別の設定画面を用いて設定されている。
【００３４】
バッチサイズ入力欄４１ｆには、１回の検査で照合する銀行券の枚数を設定する。例えば、１０００枚と設定すると、銀行券を１０００枚検査した単位で、検査結果の取りまとめなどが実行される。  
照合タイプ入力欄４１ｇからは、照合方法を指定することができる。  
裁断入力欄４１ｂの「オン」を指定すると、調査入力欄４１ａが入力可能となって、調査の割合を指定することができる。この割合を指定することによって、裁断される予定の銀行券の内、指定された割合の銀行券が調査のために裁断されずにサンプリングされる。
【００３５】
係員は操作部２７を操作して設定画面４０から設定入力を行うことで、種々の運用形態を指定することが可能である。例えば、第１集積施封装置１５および第２集積施封装置１７に集積される銀行券の種類を自由に指定することができる。また、第１集積施封装置１５に正券を集積する一方、第２集積施封装置１７に損券を集積し、裁断装置２１を使用しないように運用することができる。さらに、第１集積施封装置１５に正券の中で表向きのものを集積する一方、第２集積施封装置１７に正券の中の裏向きのものを集積し、損券を裁断装置２１で裁断する運用などを指定できる。  
続いて、一方の面にのみ真偽の特徴をもつ銀行券を検査する方法について説明する。
【００３６】
図８は、裏面のみに発光インクの特徴を有する銀行券を検査する手順を示すフロー図である。  
ステップＳ０１において、係員は操作部２７を操作しつつ表示部２５の画面上で、運用形態に応じて、前記の第１集積施封装置１５および第２集積施封装置１７に集積される銀行券の種類などを指定する。
【００３７】
ステップＳ０２でＹｅｓの場合、即ち、いずれかの集積施封装置に裏側（裏正方向、裏逆方向を含む）を指定した場合、その集積施封装置に集積される銀行券は、銀行券の表側が発光インク検知器に対侍するように搬送される。当該銀行券は、「その裏面のみに発光インクの特徴を有する銀行券」であるため、発光インク検知器はその信号を検出できない。したがって、この場合には真正券とも偽造券とも判定不能となる。
【００３８】
そこで、ステップＳ０３において、警告画面を表示部２５に表示する。そして、ステップＳ０４において、監督者による個人認証コードとパスワードの入力を求める。図９は、監督者入力画面４３を示す図である。  
ステップＳ０５でＹｅｓの場合、即ち、監督者が入力した個人認証コードとパスワードが正規なものと認められた場合、ステップＳ０６において、上述の集積の設定が許される。ステップＳ０５でＮｏの場合、即ち、監督者が入力した個人認証コードあるいはパスワードが正規なものと認められない場合、ステップＳ０７において、上述の集積の設定は許可されない。
【００３９】
一方、ステップＳ０２でＮｏの場合、即ち、いずれの集積施封装置にも裏側（裏正方向、裏逆方向を含む）を指定しない場合、上述の判定不能の状態は発生しない。そこで、ステップＳ０６において、その集積設定が許可される。
【００４０】
このように、その券種の真偽をチェックできない状態で搬送するような運用を指定した場合でも監督者の承認を得た場合にはその運用を認めるとする使用法は、例えば、銀行券供給部１０に供給される銀行券の表裏方向が混合されている場合に有効である。  
１回目に裏側（裏正方向、裏逆方向を含む）を上面にして集積するように設定されて、集積部に集積施封された銀行券のみを、２回目に表方向で流すことにより、発光検知により真偽を確認することができる。なお、このような使い方をする場合には、不図示の他の設定画面から設定を行うことにより、１回目に裏側を上面にして集積された銀行券についてはデータとして計数に算入せず、２回目の処理時に計数に組み込むようにすることができる。
【００４１】
図１０は、裏面のみに発光インクの特徴を有する銀行券について、裁断の設定がされた場合の手順を示すフロー図である。  
銀行券の真偽をチェックし、ステップＳ１０でＮＯの場合、即ち、真正券でない場合は、ステップＳ１５において、排除券として集積する。ステップＳ１０でＹｅｓの場合、即ち、真正券である場合は、ステップＳ１１において、正券かどうかを調べる。  
ステップＳ１１でＹｅｓの場合、即ち、正券である場合は、ステップＳ１３において、指定された運用に従って集積処理を実行する。
【００４２】
ステップＳ１１でＮＯの場合、即ち、損券である場合は、券種検知が表面または裏面のいずれの面に対して行われたかを判断する。  
ステップＳ１２でＮＯの場合、即ち、裏面に対して券種検知が行われた場合は、当該銀行券は、「その裏面のみに発光インクの特徴を有する銀行券」であるため、発光インク検知器はその信号を検出している。したがって、この場合にはステップＳ１４において、その銀行券は裁断される。  
ステップＳ１２でＹｅｓの場合、即ち、表面に対して券種検知が行われた場合は、当該銀行券は、「その裏面のみに発光インクの特徴を有する銀行券」であるため、発光インク検知器はその信号を検出できない。したがって、真正券とも偽造券とも判定不能である。裁断できるのは真正券のみであるため、この場合にはステップＳ１５において、その銀行券は排除券として集積する。
【００４３】
この実施例によれば、片方の面にのみ真偽の特徴を有する銀行券が、真偽判定が不能となるような方向で搬送されるときは、集積・裁断の運用時においても排除券扱いをすることができる。従って、係員は当該銀行券を正しい状態で再度検査することができる。
【００４４】
なお、上述の実施形態では、銀行券を処理する装置について説明したが、本発明はこの例に限定されず、その他、一方の面にのみ真偽特徴を有する種々の紙葉類の処理装置に適用できることは言うまでもない。
【００４５】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００４６】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００４７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】本発明の一実施形態である銀行券処理装置の全体的な構成を示す外観図。
【図２】紙葉類検査装置の操作部の外観図。
【図３】紙葉類検査装置の内部構成を示す図。
【図４】紙葉類検査装置の制御系統をブロック化して示す図。
【図５】銀行券の４方向を説明する図
【図６】発光インク検知方法を説明する図。
【図７】検査の形態を指定するための設定画面を示す図。
【図８】裏面のみに発光インクの特徴を有する銀行券を鑑査する手順を示すフロー図。
【図９】監督者入力画面を示す図。
【図１０】裏面のみに発光インクの特徴を有する銀行券について、裁断の設定がされた場合の手順を示すフロー図。
【符号の説明】
【００４９】
１０…銀行券供給部，１１…取出搬送装置，１３…搬送区分装置，１５，１７…集積施封装置，１９…排除券集積装置，２１…裁断装置，２３…検査装置，２５…表示部，２７…操作部，３３…テンキー，３４−３８…各種操作ボタン、４０…設定画面，４３…管理者入力画面，６０…データ蓄積装置、６１…メインコントローラ，６２…帳票出力プリンタ，６３…キーボード・マウス，６５…トランスポートコントローラ，６６…バンダーコントローラ、６７…検知コントローラ。
【図１】
2008243094.tif 000003
【図２】
2008243094.tif 000004
【図３】
2008243094.tif 000005
【図４】
2008243094.tif 000006
【図５】
2008243094.tif 000007
【図６】
2008243094.tif 000008
【図７】
2008243094.tif 000009
【図８】
2008243094.tif 000010
【図９】
2008243094.tif 000011
【図１０】
2008243094.tif 000012